(57)【要約】      （修正有）【課題】ユーザの取引状況に応じて適切な広告情報を提供する広告宣伝装置を提供する。【解決手段】ユーザの取引情報及び属性情報に基づいて、ＲＳＳ情報として提供する項目について点数化を行ない、この点数化された結果が項目毎に設定された条件を満たしているか否かにより、当該項目についてＲＳＳ情報を提供するかを決定する。【選択図】図１
2007212757.tif 000002
【特許請求の範囲】
【請求項１】
ユーザの識別情報、ユーザのインターネットバンキングシステムにおける取引情報及びユーザの属性情報、ＲＳＳ情報として提供される項目、前記項目に関する情報を提供することを示すフラグを関連付けて記憶する手段と、
ＲＳＳ情報として提供される項目、前記項目に関する情報を提供するために必要とされる条件を示す条件情報、前記取引情報及び属性情報に含まれる各情報毎に定義された点数を示す点数情報を関連付けて記憶する手段と、
前記ユーザのより曳き情報及び属性情報に基づいて、前記点数情報を使用して、前記項目毎に、項目に関する情報を提供するか否かの判断対象となる点数値を算出する手段と、
前記算出された点数値が前記項目に関連付けられた条件情報によって示される条件を満たすかを決定する手段と、
前記条件を満たすと判断された場合に、前記条件を満たすと判断された条件情報に関連付けられたフラグを設定する手段と、
ユーザの識別情報に関連付けられ、かつ設定されたフラグに対応する項目に関する情報を、ユーザの端末上に表示させる手段と
を具備することを特徴とするインターネットバンキングシステムにおける広告宣伝装置。
【請求項２】
前記点数値の算出、前記条件を満たすかの決定及び前記フラグの設定処理は、ユーザがインターネットバンキングシステムにログイン後に行なわれることを特徴とする請求項１記載の広告宣伝装置。
【請求項３】
前記フラグは、ユーザにより任意に設定可能であることを特徴とする請求項１記載の広告宣伝装置。
【請求項４】
前記取引情報は、インターネットバンキングシステムにおける預り残高情報及び取引種類を含むことを特徴とする請求項１記載の広告宣伝装置。
【請求項５】
前記属性情報は、ユーザの性別、年齢、居住地、職業を含むことを特徴とする請求項１記載の広告宣伝装置。
【請求項６】
ユーザの識別情報、ユーザのインターネットバンキングシステムにおける取引情報及びユーザの属性情報、ＲＳＳ情報として提供される項目、前記項目に関する情報を提供することを示すフラグを関連付けて記憶する手段と、前記項目に関する情報を提供するために必要とされる条件を示す条件情報、前記取引情報及び属性情報に含まれる各情報毎に定義された点数を示す点数情報を関連付けて記憶する手段とを具備するインターネットバンキングシステムにおける広告宣伝装置による広告宣伝方法において、
前記ユーザのより曳き情報及び属性情報に基づいて、前記点数情報を使用して、前記項目毎に、項目に関する情報を提供するか否かの判断対象となる点数値を算出し、
前記算出された点数値が前記項目に関連付けられた条件情報によって示される条件を満たすかを決定し、
前記条件を満たすと判断された場合に、前記条件を満たすと判断された条件情報に関連付けられたフラグを設定し、
ユーザの識別情報に関連付けられ、かつ設定されたフラグに対応する項目に関する情報を、ユーザの端末上に表示させることを特徴とする広告宣伝方法。
【請求項７】
前記点数値の算出、前記条件を満たすかの決定及び前記フラグの設定処理は、ユーザがインターネットバンキングシステムにログイン後に行なわれることを特徴とする請求項６記載の広告宣伝方法。
【発明の詳細な説明】
【技術分野】
【０００１】
本発明は、広告宣伝装置に関し、特に、インターネットバンキングシステムにおいて使用される広告宣伝装置に関する。
【背景技術】
【０００２】
従来よりＥメールなどを使用したプッシュ型広告宣伝が行われているが、このようなプッシュ型広告宣伝は、近年のセキュリティや個人情報保護等の制約で実施が難しくなってきている。
【０００３】
また、ホームページによる広告などのプル型コンテンツの場合、当該ホームページを見てもらう仕組みが必要であり、プッシュ型広告宣伝方法に比して広告宣伝効果は直接的ではない。
【０００４】
一方、近年、ユーザに情報を提供する技術としてＲＳＳ（Rich Site Summary）が良く知られてきている。このＲＳＳは、クライアント側に予めＲＳＳリーダをインストールし、サーバに登録したＲＳＳのカテゴリに関する情報が、クライアントに提供されるものである。
【発明の開示】
【発明が解決しようとする課題】
【０００５】
しかしながら、ＲＳＳを使用して広告宣伝を行う場合、クライアントに提供される広告宣伝情報は、クライアントによって選択され、登録されたものに関する広告宣伝情報であるため、その広告宣伝効果はユーザが欲するものであるが、広告宣伝を行う側ではユーザに真に有効な広告宣伝情報を提供することができないという問題があった。
【０００６】
本発明は、上記実情に鑑みてなされたものであり、ユーザの取引状況に応じて適切な広告情報を提供することができる広告宣伝装置を提供することを目的とする。
【課題を解決するための手段】
【０００７】
本発明の第１の発明によれば、ユーザの識別情報、ユーザのインターネットバンキングシステムにおける取引情報及びユーザの属性情報、ＲＳＳ情報として提供される項目、前記項目に関する情報を提供することを示すフラグを関連付けて記憶する手段と、ＲＳＳ情報として提供される項目、前記項目に関する情報を提供するために必要とされる条件を示す条件情報、前記取引情報及び属性情報に含まれる各情報毎に定義された点数を示す点数情報を関連付けて記憶する手段と、前記ユーザのより曳き情報及び属性情報に基づいて、前記点数情報を使用して、前記項目毎に、項目に関する情報を提供するか否かの判断対象となる点数値を算出する手段と、前記算出された点数値が前記項目に関連付けられた条件情報によって示される条件を満たすかを決定する手段と、前記条件を満たすと判断された場合に、前記条件を満たすと判断された条件情報に関連付けられたフラグを設定する手段と、ユーザの識別情報に関連付けられ、かつ設定されたフラグに対応する項目に関する情報を、ユーザの端末上に表示させる手段とを具備することを特徴とするインターネットバンキングシステムにおける広告宣伝装置、である。
【０００８】
本発明の第２の発明によれば、第１の発明において、前記点数値の算出、前記条件を満たすかの決定及び前記フラグの設定処理は、ユーザがインターネットバンキングシステムにログイン後に行なわれることを特徴とする広告宣伝装置、である。
【０００９】
本発明の第３の発明によれば、第１の発明において、前記フラグは、ユーザにより任意に設定可能であることを特徴とする広告宣伝装置、である。
【００１０】
本発明の第４の発明によれば、第１の発明において、前記取引情報は、インターネットバンキングシステムにおける預り残高情報及び取引種類を含むことを特徴とする広告宣伝装置、である。
【００１１】
本発明の第５の発明によれば、第１の発明において、前記属性情報は、ユーザの性別、年齢、居住地、職業を含むことを特徴とする広告宣伝装置、である。
【発明の効果】
【００１２】
ユーザの取引状況に応じて適切な広告情報を提供することができる広告宣伝装置を提供することができる。
【発明を実施するための最良の形態】
【００１３】
以下、図面を参照して、本発明の実施の形態に係る広告宣伝装置について説明する。
【００１４】
図１は、本発明の実施の形態に係る広告宣伝装置が使用される環境を説明するための図である。同図に示すように、インターネット１には、インターネットバンキングサーバ４によって提供されるＲＳＳ情報を読み込むためのＲＳＳリーダ３がインストールされたクライアント端末２、本発明の実施の形態に係るＲＳＳ情報提供処理の他、インターネットバンキングシステムに関する処理を行うインターネットバンキングサーバ４が接続されている。
【００１５】
インターネットバンキングサーバ４は、ＲＳＳ情報提供プログラム１１、インターネットバンキング処理プログラム１２及びデータベース１３を具備している。
【００１６】
ＲＳＳ情報提供プログラム１１は、本発明の実施の形態に係る処理を行うものであり、インターネットバンキング処理プログラムと協働して、クライアント端末２のＲＳＳリーダ３によって読み込まれるＲＳＳ情報を提供するものである。
【００１７】
インターネットバンキング処理プログラム１２は、一般的なインターネットバンキング処理を行うものであって、ここでは詳述しない。データベース１３は、ＲＳＳ情報提供プログラム１１によって利用されるデータを格納する。
【００１８】
図２及び図３は、データベース１３に格納されるデータを示す図である。図２に示すように、ユーザの識別情報（ＩＤ）には、ユーザの取引情報、属性情報、ＲＳＳ情報として提供される項目を示す項目情報が関連付けられ、さらに、項目情報には項目に関する情報を提供するか否かを示すフラグが関連付けられている。
【００１９】
「取引情報」とは、ユーザの取引状況を示す情報であって、円預金残高、円普通預金残高、円定期預金残高、前月比増減、外貨預金残高、外貨普通預金残高、外貨提起預金残高、取扱通貨数、投資信託残高、債権型、株式型などの情報である。例えば、円預金残高１００００円、外貨預金残高１００ドルなどである。
【００２０】
「属性情報」とは、ユーザの属性を示す情報であって、例えば、性別、年齢、居住地、職業、取引年月などの情報である。「項目情報」とは、例えば、「為替情報」、「株価情報」、商品「ハッピーリタイアメント」、「住宅ローン」などの情報である。
【００２１】
「フラグ情報」は、各ユーザの「項目情報」に関連付けられており、このフラグが設定されると、該当する項目に関する情報がＲＳＳ情報としてユーザに提供されることになる。なお、このフラグは、後述するように、取引状況に応じた所定の条件が満たされる場合にデフォルトとして設定されるが、ユーザにより任意に変更することが可能である。図５にＲＳＳ情報項目の選択画面の一例を示す。
【００２２】
データベース１３には、図３に示すように、「項目情報」に取引情報、属性情報及び条件情報が関連付けられている。また、これら各「取引情報」及び「属性情報」の各情報に関連付けて点数情報が付されている。
【００２３】
例えば、図４に示すように、項目「ハッピーリタイヤメント」の場合、属性情報に含まれる「年齢」が「〜２０歳の場合、２点」、「２０〜３０歳の場合、５点」、「３０〜４０歳の場合、１０点」などのように定義され、取引情報に含まれる「円預金残高」が「〜５００円の場合、１点」、「〜３０００円の場合、２点」、「〜５０００円の場合、５点」などのように定義される。
【００２４】
「条件情報」は、各項目ごとに設定され、例えば、図４に示すように、項目「ハッピーリタイヤメント」については総点数が３０点以上、項目「住宅ローン」については総点数が１５以上のように定められる。なお、条件の設定の仕方はこれに限られるものではなく、種々の条件を設定することができる。
【００２５】
次に、本発明の実施の形態に係る広告装置の動作について、図６のフローチャートを参照して説明する。
【００２６】
まず、クライアント端末からユーザ識別情報、パスワードなどを入力することによりログイン認証が行なわれる（Ｓ１）。Ｓ１においてログイン認証が成功した場合、当該ユーザの識別情報に関連付けられた取引情報及び属性情報を使用して、項目毎に、取引情報及び属性情報に対応する点数の総計である点数値を算出する（Ｓ２）。
【００２７】
その後、算出された点数値が、対応する項目に関連付けられた条件情報によって示される条件を満たすか否かの判断が行われ（Ｓ３）、満たすと判断された場合には、満たすと判断された項目に関連付けてフラグが設定される（Ｓ４）。そして、フラグが設定された項目に関する情報がクライアント端末２にＲＳＳ情報として表示される（Ｓ５）。
【００２８】
Ｓ５における処理の終了後、或いは、Ｓ３において条件を満たさないと判断された場合には、全ての項目について条件を満たしたか否かの判断が行われ（Ｓ６）、終了していない場合には、Ｓ２の処理に移り、終了したと判断された場合には処理を終了する。
【００２９】
なお、本実施の形態においては、ログイン認証終了時に、デフォルトとしてＲＳＳ情報として提供する項目を設定する場合について説明したがこれに限られるものではない。例えば、ログイン認証終了後に、利用者の属性変化、取引状況、履歴などを踏まえて、ＲＳＳ登録設定の変更を促すメッセージなどを表示させても良い。
【００３０】
したがって、本発明の実施の形態に係る広告宣伝装置によれば、ユーザの属性、取引情報を考慮して、ユーザに提供するＲＳＳ情報を決定するので、適切な広告をユーザに提供することができる。
【００３１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３２】
また、実施形態に記載した手法は、計算機（コンピュータ）に実行させることができるプログラム（ソフトウエア手段）として、例えば磁気ディスク（ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【００３３】
【図１】本発明の実施の形態に係る広告宣伝装置が使用される環境を説明するための図である。
【図２】データベースに格納されるデータを示す図である。
【図３】データベースに格納されるデータを示す図である。
【図４】データベースの一例を示す図である。
【図５】ＲＳＳ情報項目の選択画面の一例を示す図である。
【図６】本発明の実施の形態に係る広告宣伝装置の動作を説明するためのフローチャートである。
【符号の説明】
【００３４】
１…インターネット、２…クライアント端末、３…ＲＳＳリーダ、４…インターネットバンキングサーバ、１１…ＲＳＳ情報提供プログラム、１２…インターネットバンキング処理プログラム、１３…データベース。
【図１】
2007212757.tif 000003
【図２】
2007212757.tif 000004
【図３】
2007212757.tif 000005
【図４】
2007212757.tif 000006
【図５】
2007212757.tif 000007
【図６】
2007212757.tif 000008